(57)【要約】      （修正有）【課題】シーズヒータを用いた卓上型電熱コンロにおいて、シーズヒータとグリルの形状、及び相互配置を特定してコンパクトな構造となし、かつ調理によって食肉や鮮魚等の食材からの水分や脂分がシーズヒータ上に滴下しないようにしてなる安全で取り扱いやすい卓上型電熱コンロを提供する。【解決手段】加熱源としてのシーズヒータ２が、一本のシーズヒータを平面的に屈曲されてＵ字状とされ、さらにそのＵ字状の形成物を屈曲させてコ字状に形成して三次元的な構成とされてなり、その三次元的な構成を安定に確保するための複数スペーサがセラミックで構成され、シーズヒータの加熱により遠赤外線を放射してなるとともに、電熱コンロに載置するグリルのシーズヒータの真上に当たる部分に、食材からの水分や脂分がシーズヒータ上へ滴下するのを防止するプレート部を形成してなる卓上型電熱コンロ。【選択図】図２
2017189468.tif 000002
【特許請求の範囲】
【請求項１】
シーズヒータ（２）を加熱源とする直方体形状の卓上型電熱コンロ（１）であって、
一本のシーズヒータ（２）が、平面的に屈曲されてＵ字状に形成され、さらにそのＵ字状の形成物を上下に屈曲させてコ字状に形成されてなる三次元的に構成されたシーズヒータを備えてなることを特徴とする卓上型電熱コンロ。
【請求項２】
前記三次元的に構成されたシーズヒータ（２）が、その屈曲形状を安定に確保しておくためのスペーサ（３）を複数備えてなることを特徴とする請求項１に記載の卓上型電熱コンロ。
【請求項３】
前記複数のスペーサ（３）が、セラミックで構成され、前記シーズヒータ（２）の加熱により遠赤外線を放射してなるものであることを特徴とする請求項２に記載の卓上型電熱コンロ。
【請求項４】
前記直方体形状の卓上型電熱コンロ（１）が、
その短辺側の左右の両側壁（１０）と底面板（１２）とが一体に形成され、長辺側の対向する前面と後面の両側壁（１１）は、前記底板上（１２）に配設する水槽（４）の挿入、取り出しを可能にする隙間（Ｓ）を有して前記左右両側壁間（１０）に固設され、前記左右両側壁（１０）の外面にはプラスチック製の取手部（１３）が取着されてなり、また前記左右いずれか一方の取手部（１３）には前記シーズヒータ（２）に電力を供給するプラグ（５）を装着するコンセント（図示せず）が設けられ、該コンセントに前記シーズヒータ（２）が接続されてなることを特徴とする請求項１〜３のいずれか１項に記載の卓上型電熱コンロ。
【請求項５】
前記シーズヒータ（２）が、前記電熱コンロ（１）の前後壁面（１１）間の中央部に配設されてなり、かつ前記シーズヒータ（２）へ電力を供給するプラグ（５）に加熱温度を調節する可変抵抗器（６）を備えてなることを特徴とする請求項１〜４のいずれか１項に記載の卓上型電熱コンロ。
【請求項６】
前記卓上型電熱コンロ（１）が、該電熱コンロ（１）に載置して使用されるグリル（９）と、前記電熱コンロ（１）の底面板（１２）上に配設される水槽（４）とを有してなることを特徴とする請求項１〜５のいずれか１項に記載された卓上型電熱コンロ。
【請求項７】
前記グリル（９）が、シーズヒータ（２）の真上に当たる部分に、調理する肉や魚介類から出る水分や脂分が滴下して臭気や煙が発生するのを防止するプレート部（９ａ）を形成してなることを特徴とする請求項６に記載の卓上電熱コンロ。
【発明の詳細な説明】
【技術分野】
【０００１】
本発明は、シーズヒータを加熱源とする卓上型電熱コンロであって、コンパクトな構造であり、調理する肉や魚介類から出る水分や脂分が前記シーズヒータ上に落下して臭気や煙が発生するのを、シーズヒータとグリルの形状と配置とによって防止してなる卓上型電熱コンロに関する。
【背景技術】
【０００２】
シーズヒータを加熱源とする電気コンロは、螺旋形状のシースヒータを用いた方形又は円形のもの、蛇行形状のシーズヒータを用いた長角型のものなどがすでに多数市販されており、金網、フライパン、グリル等を載置して食肉や魚介類、餅などを焼いたり、干物を炙ったり、さらには調理済み鍋料理を加熱、保温したりするのに使用されている。
しかし、従来のシーズヒータを使用した卓上型電熱コンロはコンパクトな構造でなく、かつ金網やグリルを用いて食肉や鮮魚を焼くと、これら食材から出る水分や脂分が前記シーズヒータ上に滴下して燃え、臭気と煙が発生し室内に充満することになる。またシーズヒータに付着して焦げ付いた脂分の洗浄にも手間がかかるという問題がある。
【発明の概要】
【発明が解決しようとする課題】
【０００３】
本発明は、上記背景技術の現状に鑑みてなされたもので、シーズヒータを用いた卓上型コンロにおいて、前記シーズヒータとグリルの形状、及び相互配置を特定してコンパクトな構造で、調理によって食肉や鮮魚等の食材からの水分や脂分が前記シーズヒータ上に滴下しないようにしてなる卓上型電熱コンロの提供を課題とする。
【課題を解決するための手段】
【０００４】
本発明者は上記課題を下記の手段により解決した。
（１）シーズヒータを加熱源とする直方体形状の卓上型電熱コンロであって、
一本のシーズヒータが、平面的に屈曲されてＵ字状に形成され、さらにそのＵ字状の形成物を上下に屈曲させてコ字状に形成されてなる三次元的に構成されたシーズヒータを備えてなることを特徴とする卓上型電熱コンロ。
（２）前記三次元的に構成されてなるシーズヒータが、その屈曲形状を安定に確保しておくためのスペーサを複数備えてなることを特徴とする（１）に記載の卓上型電熱コンロ。
（３）前記複数のスペーサが、セラミックで構成され、前記シーズヒータの加熱により遠赤外線を放射してなるものであることを特徴とする（２）に記載の卓上型電熱コンロ。
【０００５】
（４）前記直方体形状の卓上型電熱コンロが、
その短辺側の左右の両側壁と底面板とが一体に形成され、長辺側の対向する前面と後面の両側壁は、前記底板上に配設する水槽の挿入、取り出しを可能にする隙間を有して前記左右両側壁間に固設され、前記左右両側壁の外面にはプラスチック製の取手部が取着されてなり、また前記左右いずれか一方の取手部には前記シーズヒータに電力を供給するプラグを装着するコンセントが設けられ、該コンセントに前記シーズヒータが接続されてなることを特徴とする（１）〜（３）のいずれか１項に記載の卓上型電熱コンロ。
（５）前記シーズヒータが、前記電熱コンロの前後壁面の間の中央部に配設されてなり、かつ前記シーズヒータへの電力供給部に、加熱温度を調節する可変抵抗器を備えてなることを特徴とする（１）〜（４）のいずれか１項に記載の卓上型電熱コンロ。
【０００６】
（６）前記卓上型電熱コンロが、該電熱コンロに載置して使用されるグリルと、前記電熱コンロの底板上に配設される水槽とを有してなることを特徴とする（１）〜（５）のいずれか１項に記載された卓上型電熱コンロ。
（７）前記グリルが、シーズヒータの真上に当たる部分に、調理する肉や魚介類から出る水分や脂分が滴下して臭気や煙が発生するのを防止するプレート部を形成してなることを特徴とする（６）に記載の卓上電熱コンロ。
【発明の効果】
【０００７】
本発明の電気コンロによって下記の効果が発揮される。
〈１〉シーズヒータを加熱源とする直方体形状の卓上型電熱コンロであって、
一本のシーズヒータが、平面的に屈曲されてＵ字状に形成され、さらにそのＵ字状の形成物を上下に屈曲させてコ字状に形成されてなる三次元的に構成されたシーズヒータを備えてなり、かつ、その屈曲形状を安定に確保しておくため、セラミックで構成されたスペーサを複数備えているので、
コンパクトな構造でありながら発熱量が大きく、調理に必要な熱量の発生に必要なシーズヒータ長が確保され、かつセラミックス製スペーサが前記シーズヒータで加熱されることによって発生する遠赤外線も食材への加熱に貢献することから、食材への加熱が効率よく行われ、食材のうまみを損なうことなく調理できる。そして、セラミック製のスペーサはシーズヒータの三次元的構造を確保し、かつ電気絶縁と遠赤外線発生体の役割を果たすものとなる。
【０００８】
〈２〉前記直方体形状の卓上型電熱コンロが、
その短辺側の左右の両側壁と底面板とが一体に形成され、長辺側の対向する前面と後面の両側壁は、前記底板上に配設する水槽の挿入、取り出しを可能にする隙間を有して前記左右両側壁間に固設され、前記左右両側壁の外面にはたプラスチック製の取手部が取着されてなり、また前記左右いずれか一方の取手部には前記シーズヒータに電力を供給するプラグを装着するコンセントが設けられ、該コンセントに前記シーズヒータが接続されているので、安全で取り扱いやすい卓上型電熱コンロを提供できる。
〈３〉前記シーズヒータが、前記電熱コンロの前後壁面の間の中央部に配置され、また、前記グリルが、シーズヒータの真上に当たる部分にプレート部を形成しているので、
調理する肉や魚介類から出る水分や脂分が前記シーズヒータ上に滴下することなく、すべて水槽に収容されるので、室内の空気を臭気や煙によって汚染することなく、また前記シーズヒータへ電力を供給するプラグに、加熱温度を調節する可変抵抗器を備えていることから、食材に適した加熱温度を選択して調理できでき、前記卓上型電熱コンロを囲んでの楽しい食事を提供できる。
【図面の簡単な説明】
【０００９】
【図１】本発明の卓上型電熱コンロの外観斜視図
【図２】本発明の卓上型電熱コンロのシーズヒータの形状及び同シーズヒータを用いた加熱機構の構成図
【図３】本発明の卓上型電熱コンロの内部構図の説明図
【発明を実施するための形態】
【００１０】
本発明の卓上型電熱コンロを実施するための形態を実施例の図に基づいて説明する。
図１は本発明の卓上型電熱コンロの外観斜視図、図２は本発明の卓上型電熱コンロのシーズヒータの形状及び同シーズヒータを用いた加熱機構の構成図、図３は本発明の卓上型電熱コンロの内部構図の説明図である。
図において１は卓上型電熱コンロ、２はシーズヒータ、３はセラミック製スペーサ、４はシーズヒータとスペーサとの締結固定具、５はシーズヒータ取付部材、５ａはシーズヒータ取付部材の左右側板への装着部、５ｂはシーズヒータ挿通孔、５ｃはプラグ装着固定用突起挿入孔、６は水槽、７はプラグ、７ａはプラグ装着固定用突起、８は可変抵抗器、９はグリル、９ａはプレート部、１０は左右の側壁、１１は前後の側壁、１２は底面板、１３は取手部、Ｓは水槽の挿入、取り出しを可能にする隙間を示す。
【００１１】
本発明の卓上型電熱コンロ１に使用されるシーズシリヒータ２は、図２（ｂ）に示すように、長尺のシーズヒータ２がその中央部で平面的に屈曲されＵ字状に形成され、さらにこのＵ字状となったシーズヒータ２をその中央部付近で上方にコ字状に屈曲されて三次元的に構成されている。
そしてその三次元的構成を安定に確保するために、図２（ｂ）の矢印で示す方向から図２（ｃ）に示す複数のセラミック製スペーサ３を左右に並置され上下に重畳されたシーズヒータ２の間に順次装入し、最後に図２（ａ）に示すシーズヒータとスペーサとの締結固定具４を装着して、図２（ｄ）に示す形状にまとめ上げられ、予め電熱コンロ１の左右壁面１０間に渡設された図２（ｅ）に示すシーズヒータ取付部材５上に載置される。
なお、図２（ｄ）のＡ−Ａ断面におけるシーズヒータ２とセラミックス製ペーサ３とを前記締結固定具４装着した状態の拡大断面図を図２（ｄ）の右下に添えて示した。
【００１２】
本発明の卓上型電熱コンロ１は、図１の外観斜視図に示すように直方体形状をなし、その短辺側の左右の両側壁１０と底面板１２とが一体に形成され、長辺側の対向する前面と後面の両側壁１１は、前記底板上１２に配設する水槽４の挿入、取り出しを可能にする隙間Ｓを有して前記左右両側壁間１０に固設され、前記左右両側壁１０の外面にはプラスチック製の取手部１３が取着されている。また、前記左右いずれか一方の取手部１３には前記シーズヒータ２に電力を供給するプラグ５を装着するコンセント（図示せず）が設けられ、該コンセントに前記シーズヒータ２が接続されている。
そしてセラミック製スペーサ３と締結されたシーズヒータ２は、図３に示すように、前記卓上型電熱コンロ１の前後壁面１１間の中央に位置するようにして前記卓上型電熱コンロ１の左右両壁面１０間に渡設されたシーズヒータ取付部材５のシーズヒータ挿通孔５ｂにシーズヒータ２の先端を挿通させて載置される。この際、前記セラミック製スペーサ３の底部がシーズヒータ取付部材５に設けられた複数の突起部５ｄの間にそれぞれはまり込み、シーズヒータ２はシーズヒータ取付部材５に固定されることになり、シーズヒータ２の先端は、一方の取手部１３に設けられたコンセント内に安定して突出することになり、電源を供給するプラグ７がコンセントに挿入されたとき該プラグ７の接続端子部と結合して前記シーズヒータ３に通電され発熱することとなる。
なお、前記５には加熱温度を調節する可変抵抗器６が備えられており、食材及び調理方法に適した温度に調節できる。
【００１３】
さらに、本発明の卓上型電熱コンロ１は、図１に示すように該電熱コンロ１に載置して使用されるグリル９と、前記電熱コンロ１の底面板１２上に調理する肉や魚介類から出る水分や脂分を受ける水槽４とを有している。さらに、前記グリル９の前記シーズヒータ２の真上に当たる部分には、調理する肉や魚介類から出る水分や脂分が前記シーズヒータ上に滴下して臭気や煙が発生するのを防止するためのプレート部９ａが形成されている。
なお、グリル９の両端部から板体を下方に垂設して側壁（１１）を一体化したグリルを構成してもよい。
【符号の説明】
【００１４】
１：卓上型電熱コンロ、
２：シーズヒータ
３：セラミック製スペーサ
４：シーズヒータとスペーサとの締結固定具
５：シーズヒータ取付部材
５ａ：シーズヒータ取付部材の左右側板への装着部
５ｂ：シーズヒータ挿通孔
５ｃ：プラグ装着固定バー
６：水槽
７：プラグ
８：可変抵抗器
９：グリル
９ａ：プレート部
１０：左右の側壁
１１：前後の側壁
１２：底面板
１３：取手部
Ｓ：水槽の挿入、取り出しを可能にする隙間
【図１】
2017189468.tif 000003
【図２】
2017189468.tif 000004
【図３】
2017189468.tif 000005